(57)【特許請求の範囲】
【請求項１】
冷専機／冷暖機一体型空調機の室内機と、冷暖機用室外機又は冷専機用室外機とを有する空気調和機において、
前記冷専機／冷暖機一体型空調機の室内機は、冷房専用機用プログラムと冷房暖房兼用機用プログラムとを記憶させた室内マイクロコンピュータと、前記冷暖機用室外機とシリアル信号の送受信を行う冷暖機種信号送受信手段と、前記冷専機用室外機へ動作信号を送信する冷専機種信号送信手段とを有し、
前記冷暖機用室外機は、前記室内機の冷暖機種信号送受信手段から送信されるシリアル信号を受信する冷暖機種信号受信手段と、前記シリアル信号を受信し、当該冷暖機用室外機内に異常がないと判断した場合、圧縮機動作信号及び室外機動作中信号を出力する室外マイクロコンピュータと、前記室外機動作中信号を前記室内機の冷暖機種信号送受信手段へ送信する冷暖機種信号送信手段とを有し、
冷専機種信号又は冷暖機種信号を前記室内マイクロコンピュータに送信する冷専機種／冷暖機種切り替え装置を備えたことを特徴とする空気調和機。
【請求項２】
前記冷専機種／冷暖機種切り替え装置を前記冷専機／冷暖機一体型空調機の室内機に設けたことを特徴とする請求項１記載の空気調和機。
【請求項３】
ワイヤレスリモコンを備え、前記冷専機種／冷暖機種切り替え装置を前記ワイヤレスリモコンに設けたことを特徴とする請求項１記載の空気調和機。
【請求項４】
前記冷専機種／冷暖機種切り替え装置を、前記室外機から前記室内機へ送信されるシリアル信号の有無により、前記冷専機種と前記冷暖機種とを切り替える構成としたことを特徴とする請求項１記載の空気調和機。
【請求項５】
前記冷専機／冷暖機一体型空調機の室内機は、応急運転スイッチを備え、元電源投入時に前記応急運転スイッチの操作の有無により、冷専機と冷暖機との切り替えを行うことを特徴とする請求項１記載の空気調和機。
【請求項６】
冷房専用機用ワイヤレスリモコンと、冷房暖房兼用機用ワイヤレスリモコンとを備え、前記冷専機種／冷暖機種切り替え装置を、元電源投入後、それぞれのリモコンからの信号を受信し、受信した信号により前記冷専機種／冷暖機種切り替え装置の切り替えを行う構成としたことを特徴とする請求項１記載の空気調和機。
【請求項７】
前記冷房専用機用ワイヤレスリモコンは冷専機用室外機に同梱させ、冷房暖房兼用機用ワイヤレスリモコンは冷暖機用室外機に同梱させたことを特徴とする請求項６記載の空気調和機。
【発明の詳細な説明】
【０００１】
【発明の属する技術分野】
この発明は、セパレート型空気調和機における冷房専用機と冷房暖房兼用機の室内機を共通化するための空調機の制御装置に関するものである。
【０００２】
【従来の技術】
例えば、特開平９−１４７８１号公報に、室内機の仕様を冷房専用および冷暖房用に拘わらず共通化して製造コスト低減等図るため、冷房専用室内ユニットに逆止弁と暖房用絞り機構との並列回路を有する暖房用キットを着脱自在に取り付けることによって冷房専用あるいは冷暖房室外機のいずれにも対応可能とした空気調和機が開示されている。
【０００３】
【発明が解決しようとする課題】
従来のセパレート型空調機は、冷房専用機（以下、冷専機）・冷房暖房兼用機（以下、冷暖機）の制御装置と室内機が別々であり、共通化出来ないか、または、暖房用キットを着脱自在に取り付ける形式の冷暖用室内機が開示されているだけで、製造上管理の手間が増えることや、サービス部品が増えること、据え付け業者がユニット管理をしなければならない、着脱せずに全てを共通化したものはない等の問題点があった。
【０００４】
この発明は、上記のような問題点を解消するためになされたもので、冷専機・冷暖機のセパレート型空調機の室内機と制御装置を共通化することによって、部品点数の管理・発注数の削減に伴い原価低減になり、かつ据え付け業者のユニット管理（在庫管理）や据え付け時の手間の軽減することを目的とする。
【０００５】
【課題を解決するための手段】
この発明に係る空気調和機は、冷専機／冷暖機一体型空調機の室内機と、冷暖機用室外機又は冷専機用室外機とを有する空気調和機において、冷専機／冷暖機一体型空調機の室内機は、冷房専用機用プログラムと冷房暖房兼用機用プログラムとを記憶させた室内マイクロコンピュータと、冷暖機用室外機とシリアル信号の送受信を行う冷暖機種信号送受信手段と、冷専機用室外機へ動作信号を送信する冷専機種信号送信手段とを有し、冷暖機用室外機は、室内機の冷暖機種信号送受信手段から送信されるシリアル信号を受信する冷暖機種信号受信手段と、シリアル信号を受信し、冷暖機用室外機内に異常がないと判断した場合、圧縮機動作信号及び室外機動作中信号を出力する室外マイクロコンピュータと、室外機動作中信号を室内機の冷暖機種信号送受信手段へ送信する冷暖機種信号送信手段とを有し、冷専機種信号又は冷暖機種信号を室内マイクロコンピュータに送信する冷専機種／冷暖機種切り替え装置を備えたことを特徴とする。
【０００６】
また、この発明に係る空気調和機は、冷専機種／冷暖機種切り替え装置を冷専機／冷暖機一体型空調機の室内機に設けたことを特徴とする。
【０００７】
また、この発明に係る空気調和機は、ワイヤレスリモコンを備え、前記冷専機種／冷暖機種切り替え装置を前記ワイヤレスリモコンに設けたことを特徴とする。
【０００８】
また、この発明に係る空気調和機は、冷専機種／冷暖機種切り替え装置を、室外機から室内機へ送信されるシリアル信号の有無により、冷専機種と冷暖機種とを切り替える構成としたことを特徴とする。
【０００９】
また、この発明に係る空気調和機は、冷専機／冷暖機一体型空調機の室内機は、応急運転スイッチを備え、元電源投入時に前記応急運転スイッチの操作の有無により、冷専機と冷暖機との切り替えを行うことを特徴とする。
【００１０】
また、この発明に係る空気調和機は、冷房専用機用ワイヤレスリモコンは冷専機用室外機に同梱させ、冷房暖房兼用機用ワイヤレスリモコンは冷暖機用室外機に同梱させたことを特徴とする。
【００１１】
また、冷房専用機用ワイヤレスリモコンは冷房専用機の室外機に同梱させ、冷房暖房兼用機用ワイヤレスリモコンは冷房暖房兼用機の室外機に同梱させたものである。
【００１２】
【発明の実施の形態】
実施の形態１．
以下、この発明の実施の形態１を図面を参照して説明する。
図１は、この発明の実施の形態１を示す図で、空気調和機のブロック図である。冷専機／冷暖機一体型空調機の室内機１０１と空調機の室外機［冷暖機種］１１１を据え付けて元電源を投入する前に、プログラム切り替え手段の一例としての冷専機種／冷暖機種切り替え装置である冷専機種／冷暖機種切り替えスイッチ１０５を冷暖房機種に設定し、その後に元電源を入れる。冷専機種／冷暖機種切り替えスイッチ１０５が冷暖房機種信号を信号解析手段１０４に送信して、その信号を信号解析手段１０４が受信し解析して、冷暖房機種信号をマイクロコンピュータ１０７へ送信し、マイクロコンピュータ１０７が正しく信号を受信すると、冷専機／冷暖機一体型空調機の室内機１０１が冷暖房機種になる。
【００１３】
次に、ワイヤレスリモコン１０２から運転動作信号を送信すると、ワイヤレスリモコン信号受信手段１０３が運転動作信号を受信して、信号解析手段１０４に送信する。信号解析手段１０４が運転動作信号を受信して解析を行い、マイクロコンピュータ１０７へ運転動作信号を送信し受信した後に、冷専機／冷暖機一体型空調機の室内機１０１内に異常がないことをマイクロコンピュータ１０７が判断すると、ワイヤレスリモコン１０２から送られた信号と同じ動作を冷専機／冷暖機一体型空調機の室内機１０１が行う。
【００１４】
元電源投入後から、３分以上経過すれば、マイクロコンピュータ１０７が圧縮機動作信号を信号解析手段１０８に送信して、信号解析手段１０８が圧縮機動作信号を解析して正しい信号ならば、冷暖機種信号送受信手段［シリアル信号］１０９へ信号を送り、冷暖機種信号送受信手段［シリアル信号］１０９が空調機の室内機／室外機接続線（以下、接続線）へ圧縮機動作信号を送り、信号が空調機の室外機［冷暖機種］１１１の冷暖機種信号受信手段［シリアル信号］１１２へ送信される。その信号を冷暖機種信号受信手段［シリアル信号］１１２が受信して、信号解析手段１１４へ送信し、信号解析手段１１４が受信及び解析を行い、マイクロコンピュータ１１５へ信号を送信する。その信号をマイクロコンピュータ１１５が受信した後に、空調機の室外機［冷暖機種］１１１内に異常がないことをマイクロコンピュータ１１５が判断すると、圧縮機動作信号送受信手段１１６へ圧縮機動作信号を送信し、圧縮機動作信号送受信手段１１６が受信して、圧縮機１１７へ圧縮機動作信号を送り、圧縮機１１７が正常に圧縮機動作信号を受信すれば、圧縮機１１７が動作を行う。
【００１５】
また、マイクロコンピュータ１１５が圧縮機動作信号送受信手段１１６へ圧縮機動作信号を送るのと同時に信号解析手段１１４へ室外機動作中信号を送る。その信号を、信号解析手段１１４が解析して、正しい信号で有れば冷暖機種信号受信手段［シリアル信号］１１３へ信号を送る。その信号を冷暖機種信号受信手段［シリアル信号］１１３が受信し接続線へ送信する。信号が接続線を通過して冷暖機種信号送受信手段［シリアル信号］１０９が受信し、信号解析手段１０８へ信号を送る。信号解析手段１０８が信号を解析してマイクロコンピュータ１０７に信号を送信しマイクロコンピュータ１０７が受信して、空調機の室外機［冷暖機種］１１１が正常に動作していることを判断する。
【００１６】
または、試運転スイッチ１０６を押すと、試運転スイッチ１０６から試運転信号を信号解析手段１０４に送信して、その信号を信号解析手段１０４が受信し解析して、マイクロコンピュータ１０７へ試運転信号を送信し受信した後に、冷専機／冷暖機一体型空調機の室内機１０１内に異常がないことをマイクロコンピュータ１０７が判断すると、冷専機／冷暖機一体型空調機の室内機１０１が試運転を行う。
【００１７】
元電源投入後から、３分以上経過すれば、マイクロコンピュータ１０７が圧縮機動作信号を信号解析手段１０８に送信して、信号解析手段１０８が圧縮機動作信号を解析して正しい信号ならば冷暖機種信号送受信手段［シリアル信号］１０９へ信号を送り、冷暖機種信号送受信手段［シリアル信号］１０９が接続線へ圧縮機動作信号を送り、信号が空調機の室外機［冷暖機種］１１１の冷暖機種信号受信手段［シリアル信号］１１２へ送信される。その信号を冷暖機種信号受信手段［シリアル信号］１１２が受信して、信号解析手段１１４へ送信し、信号解析手段１１４が受信及び解析を行い、マイクロコンピュータ１１５へ信号を送信する。その信号をマイクロコンピュータ１１５が受信した後に、空調機の室外機［冷暖機種］１１１内に異常がないことをマイクロコンピュータ１１５が判断すると、圧縮機動作信号送受信手段１１６へ圧縮機動作信号を送信し、圧縮機動作信号送受信手段１１６が受信して、圧縮機１１７へ圧縮機動作信号を送り、圧縮機１１７が正常に圧縮機動作信号を受信すれば、圧縮機１１７が動作を行う。
【００１８】
また、マイクロコンピュータ１１５が圧縮機動作信号送受信手段１１６へ圧縮機動作信号を送るのと同時に信号解析手段１１４へ室外機動作中信号を送る。その信号を、信号解析手段１１４が解析して、正しい信号で有れば冷暖機種信号受信手段［シリアル信号］１１３へ信号を送る。その信号を冷暖機種信号受信手段［シリアル信号］１１３が受信し接続線にへ送信する。信号が接続線を通過して冷暖機種信号送受信手段［シリアル信号］１０９が受信し、信号解析手段１０８へ信号を送る。信号解析手段１０８が信号を解析してマイクロコンピュータ１０７に信号を送信しマイクロコンピュータ１０７が受信して、空調機の室外機［冷暖機種］１１１が正常に動作していることを判断する。
【００１９】
冷専機／冷暖機一体型空調機の室内機１０１に空調機の室外機［冷専機種］１１８を据え付けた場合、元電源を投入する前に、冷専機種／冷暖機種切り替えスイッチ１０５を冷専機種に設定して、その後に元電源を入れる。冷専機種／冷暖機種切り替えスイッチ１０５が冷専機種信号を信号解析手段１０４に送信して、その信号を信号解析手段１０４が受信し解析して、冷専機種信号をマイクロコンピュータ１０７へ送信し、マイクロコンピュータ１０７が正しく信号を受信すると、冷専機／冷暖機一体型空調機の室内機１０１が冷専機種になる。
【００２０】
ワイヤレスリモコン１０２から運転動作信号を送信すると、ワイヤレスリモコン信号受信手段１０３が運転動作信号を受信して、信号解析手段１０４に送信する。信号解析手段１０４が運転動作信号を受信して解析を行い、マイクロコンピュータ１０７へ運転動作信号を送信し受信した後に、冷専機／冷暖機一体型空調機の室内機１０１内に異常がないことをマイクロコンピュータ１０７が判断すると、ワイヤレスリモコン１０２から送られた信号と同じ動作を冷専機／冷暖機一体型空調機の室内機１０１が行う。
【００２１】
元電源投入後から、３分以上経過すれば、マイクロコンピュータ１０７が圧縮機動作信号を信号解析手段１０８に送信して、信号解析手段１０８が圧縮機動作信号を解析して正しい信号ならば冷専機種信号送信手段１１０へ送信する。冷専機種信号送信手段１１０が受信し、空調機の接続線に信号を送信し、信号が接続線を通過すると空調機の室外機［冷専機種］１１８の冷専機種信号受信手段及び信号解析手段１１９が信号を受信して解析して、正しい信号で有れば圧縮機動作信号送信手段１２０へ圧縮機動作信号を送り、圧縮機動作信号送信手段１２０が信号を受信して圧縮機１２１へ信号を送信し、圧縮機１２１が圧縮機動作信号を正しく受信すれば、圧縮機１２１が動作を行うことにより正常の運転を空調機が行う。
【００２２】
冷専機／冷暖機一体型空調機の室内機１０１に、空調機の室外機［冷専機種］１１８を据え付け（接続）た場合、据え付け後に、冷専機／冷暖機一体型空調機の室内機１０１内の冷専機種／冷暖機種切り替えスイッチ１０５をＯＮにして、元電源を投入した場合、信号解析手段１０４にて、冷専機種の認識を行い、マイクロコンピュータ１０７に冷専機種信号を送信し、マイクロコンピュータ１０７が冷専機種の動作を行う。
【００２３】
ワイヤレスリモコンから空調機動作信号［例えば、冷房運転・設定温度２５℃・風速Ｈｉ：この場合室温は２６℃以上とする］を送信すると冷専機／冷暖機一体型空調機の室内機１０１内のワイヤレスリモコン信号受信手段１０３が空調機動作信号を受信した場合、ワイヤレスリモコン信号受信手段１０３が信号解析手段１０４へ空調機動作信号を送り、信号解析手段１０４が空調機動作信号を解析し、正しい信号で有れば、マイクロコンピュータ１０７へ空調機動作信号を送る。マイクロコンピュータ１０７が空調機動作信号を受信し、かつ、電源投入から３分以上経過していて、ファンモータ等が正常に動作していれば、信号解析手段１０８へ冷専機信号を送り、信号解析手段１０８が冷専機信号を受信した場合は、冷専機種信号送信手段１１０へ信号を送り、空調機の室外機［冷専機種］１１８内の冷専機種信号受信手段及び信号解析手段１１９に冷専機種信号を送り、冷専機種信号受信手段及び信号解析手段信号解析手段１１９が受信して信号解析を行い圧縮機動作信号送信手段１２０へ圧縮機動作信号を送る。その信号を圧縮機動作信号送信手段１２０が受信し、圧縮機１２１へ送信し、圧縮機１２１が信号を受信した場合、圧縮機が動作する事によって冷専機種になる。
【００２４】
冷専機／冷暖機一体型空調機の室内機に、空調機の室外機［冷暖機種］１１１を据え付け（接続）た場合、据え付け後に、冷専機／冷暖機一体型空調機の室内機１０１内の冷専機種／冷暖機種切り替えスイッチ１０５をＯＦＦにして、元電源を投入した場合、信号解析手段１０４にて、冷暖機種の認識を行い、マイクロコンピュータ１０７に冷暖機種信号を送信し、マイクロコンピュータ１０７が冷暖機種の動作を行う。
【００２５】
ワイヤレスリモコン１０２から空調機動作信号［例えば、暖房運転・設定温度２５℃・風速Ｈｉ：この場合室温は２４℃以下とする］を送信すると冷専機／冷暖機一体型空調機の室内機１０１内のワイヤレスリモコン信号受信手段１０３が空調機動作信号を受信した場合、ワイヤレスリモコン信号受信手段１０３が信号解析手段１０４へ空調機動作信号を送り、信号解析手段１０４が空調機動作信号を解析し、正しい信号で有れば、マイクロコンピュータ１０７へ空調機動作信号を送る。マイクロコンピュータ１０７が空調機動作信号を受信し、かつ、電源投入から３分以上経過していて、ファンモータ等が正常に動作していれば、信号解析手段１０８へ冷暖機種信号を送り、信号解析手段１０８が冷暖機種信号を受信した場合は、冷暖機種信号送受信手段１０９へシリアル信号を送り、空調機の室外機［冷暖機種］１１１内の冷暖機種信号受信手段［シリアル信号］１１２へシリアル信号を送り、信号解析手段１１４がシリアル信号を受信して正常の信号で有れば、マイクロコンピュータ１１５へシリアル信号を送信する。マイクロコンピュータ１１５がシリアル信号を受信して、空調機が正しく運転できる条件で有れば、圧縮機動作信号送受信手段１１６へ圧縮機動作信号を送信し、圧縮機動作信号送受信手段１１６が圧縮機１１７へ動作信号を送信して、圧縮機１１７が信号を受信した場合、圧縮機１１７が動作する事によって冷暖機種になる。
【００２６】
以上で、冷専機種又は冷暖機種が正常に動作をするが、仮に空調機の室外機［冷暖機種］１１１を冷専機／冷暖機一体型空調機の室内機１０１に接続［据え付け］をして冷専機種／冷暖機種切り替えスイッチ１０５を間違えてＯＮにして元電源を投入した場合、信号解析手段１０４にて、冷専機種の認識を行い、マイクロコンピュータ１０７に冷専機種信号を送信しマイクロコンピュータ１０７が冷専機種と判別することによって、シリアル通信が行われないため、マイクロコンピュータ１１５が異常と判断し圧縮機１１７を動作させないことにより正常運転にはならない（この場合には、冷専機種とマイクロコンピュータ１１５が判別しているため、室内機の表示モニタに異常表示はされない。しかし、圧縮機１１７が動作せずに空調が行われないので、異常と判断できる）。
【００２７】
また、空調機の室外機［冷専機種］１１８を冷専機／冷暖機一体型空調機の室内機１０１に接続［据え付け］して冷専機種／冷暖機種切り替えスイッチ１０５を間違えてＯＦＦにして元電源を投入した場合、信号解析手段１０４にて、冷暖機種の認識を行い、マイクロコンピュータ１０７に冷暖機種信号を送信しマイクロコンピュータ１０７が冷暖機種と判別することによって、空調機の室外機［冷専機］１１８にシリアル信号を送るが、シリアル通信が返却されてこないため、マイクロコンピュータ１０７が異常と判断して、冷専機／冷暖機一体型空調機の室内機１０１の表示モニタに異常表示を行うことによって間違え防止を行う。
【００２８】
上述の動作を、図２のフローチャートで説明する。先ず、ステップ２０２で、冷専機／冷暖機一体型空調機の室内機に、空調機の室外機を接続［据え付け］を行う。ステップ２０３で室外機が冷専機種であるかを判断し、冷専機の場合、ステップ２０４で冷専機／冷暖機一体型空調機の室内機の制御装置の冷専機種／冷暖機種切り替えスイッチＯＮにする。その後、ステップ２０５で元電源投入［定格電圧投入］をする事によって、空調機→冷専機種となる（ステップ２０６）。その後、リモコンから空調機正常動作信号を送り、冷専機／冷暖機一体型空調機の室内機の制御装置がリモコン信号を正しく受信し、かつ元電源投入後３分経過した場合、空調機の室外機（冷専機種）内の圧縮機が動作をして、空調機正常動作になる（ステップ２１０）。
【００２９】
空調機の室外機が冷暖機種の場合には、ステップ２０３における室外機が冷専機種であるかの判断で、冷暖機種のため「ＮＯ」となり、ステップ２０７で冷専機／冷暖機一体型空調機の室内機の制御装置の冷専機種／冷暖機種切り替えスイッチをＯＦＦにする。その後、ステップ２０８で元電源投入［定格電圧投入］をする事によって、空調機→冷暖機種となる（ステップ２０９）。その後、リモコンから空調機正常動作信号を送り、冷専機／冷暖機一体型空調機の室内機の制御装置がリモコン信号を正しく受信し、かつ元電源投入後３分経過した場合、空調機の室外機（冷専機種）内の圧縮機が動作をして、空調機正常動作になる（ステップ２１０）。
【００３０】
以上のように、この実施の形態によれば、冷専機種と冷暖機種の空調機の室内機（制御装置を含む）を一体型したので、製造者が共通化を図れるため、大量生産をすることが出き、コストの削減につながる。また、サービス部品を一本化に出来るため、管理形態が簡素化する事が出き、かつ、据え付け業者が室外機と室内機のセットを間違えることがないため、管理が簡素化できる効果が得られる。
【００３１】
実施の形態２．
以下、この発明の実施の形態２を図面を参照して説明する。
図３は、この発明の実施の形態２を示す図で、空気調和機のブロック図である。冷専機／冷暖機一体型空調機の室内機３０１と空調機の室外機［冷暖機種］３１１を据え付けて、元電源を投入する。ワイヤレスリモコン３０２から冷暖機種信号と運転動作信号を送信すると、ワイヤレスリモコン信号受信手段３０３が冷暖機種信号と運転動作信号を受信して、信号解析手段３０４に送信する。信号解析手段３０４が冷暖機種信号と運転動作信号を受信して解析を行い、マイクロコンピュータ３０７へ冷暖機種信号と運転動作信号を送信し、マイクロコンピュータ３０７が信号を受信した後に、冷専機／冷暖機一体型空調機の室内機３０１が冷暖機種と判断するのと同時に冷専機／冷暖機一体型空調機の室内機３０１内に異常がないことをマイクロコンピュータ３０７が判断すると、ワイヤレスリモコン３０２から送られた信号と同じ動作を冷専機／冷暖機一体型空調機の室内機３０１が行う。
【００３２】
元電源投入後から、３分以上経過すれば、マイクロコンピュータ３０７が圧縮機動作信号を信号解析手段３０８に送信して、信号解析手段３０８が圧縮機動作信号を解析して正しい信号ならば冷暖機種信号送受信手段［シリアル信号］３０９へ信号を送り、冷暖機種信号送受信手段［シリアル信号］３０９が接続線へ圧縮機動作信号を送り、信号が空調機の室外機［冷暖機種］３１１の冷暖機種信号受信手段［シリアル信号］３１２へ送信される。その信号を冷暖機種信号受信手段［シリアル信号］３１２が受信して、信号解析手段３１４へ送信し、信号解析手段３１４が受信及び解析を行い、マイクロコンピュータ３１５へ信号を送信する。その信号をマイクロコンピュータ３１５が受信した後に、空調機の室外機［冷暖機種］３１１内に異常がないことをマイクロコンピュータ３１５が判断すると、圧縮機動作信号送受信手段３１６へ圧縮機動作信号を送信し、圧縮機動作信号送受信手段３１６が受信して、圧縮機３１７へ圧縮機動作信号を送り、圧縮機３１７が正常に圧縮機動作信号を受信すれば、圧縮機３１７が動作を行う。
【００３３】
また、マイクロコンピュータ３１５が圧縮機動作信号送受信手段３１６へ圧縮機動作信号を送るのと同時に信号解析手段３１４へ室外機動作中信号を送る。その信号を、信号解析手段３１４が解析して、正しい信号で有れば冷暖機種信号受信手段［シリアル信号］３１３へ信号を送る。その信号を冷暖機種信号受信手段［シリアル信号］３１３が受信し室接続線へ送信する。信号が接続線を通過して冷暖機種信号送受信手段［シリアル信号］３０９が受信し、信号解析手段３０８へ信号を送る。信号解析手段３０８が信号を解析してマイクロコンピュータ３０７に信号を送信しマイクロコンピュータ３０７が受信して、空調機の室外機［冷暖機種］３１１が正常に動作していることを判断する。
【００３４】
冷専機／冷暖機一体型空調機の室内機３０１と空調機の室外機［冷専機種］３１８を据え付けた場合には、ワイヤレスリモコン３０２から冷専機種信号と運転動作信号を送信すると、ワイヤレスリモコン信号受信手段３０３が冷専機種信号と運転動作信号を受信して、信号解析手段３０４に送信する。信号解析手段３０４が冷専機種信号と運転動作信号を受信して解析を行い、マイクロコンピュータ３０７へ冷専機種信号と運転動作信号を送信し、マイクロコンピュータ３０７が信号を受信した後に、冷専機／冷暖機一体型空調機の室内機３０１が冷専機種と判断するのと同時に冷専機／冷暖機一体型空調機の室内機３０１内に異常がないことをマイクロコンピュータ３０７が判断すると、ワイヤレスリモコン３０２から送られた信号と同じ動作を冷専機／冷暖機一体型空調機の室内機３０１が行う。
【００３５】
元電源投入後から、３分以上経過すれば、マイクロコンピュータ３０７が圧縮機動作信号を信号解析手段３０８に送信して、信号解析手段３０８が圧縮機動作信号を解析して正しい信号ならば冷専機種信号送信手段３１０へ送信する。その信号を冷専機種信号送信手段３１０が受信し、空調機の接続線に信号を送信し、信号が接続線を通過すると空調機の室外機［冷専機種］３１８の冷専機種信号受信手段及び信号解析手段３１９が信号を受信して解析して、正しい信号で有れば圧縮機動作信号送信手段３２０へ圧縮機動作信号を送り、圧縮機動作信号送信手段３２０が信号を受信して圧縮機３２１へ信号を送信し、圧縮機３２１が圧縮機動作信号を正しく受信すれば、圧縮機３２１が動作を行うことにより空調機が正常の運転を行う。
【００３６】
冷専機種の場合は、冷専機種の冷専機／冷暖機一体型空調機の室内機３０１に、空調機の室外機［冷専機種］３１８を据え付け（接続）し、据え付け後に、元電源を投入した場合、ワイヤレスリモコン３０２から、冷専機種信号と空調機動作信号［例えば、冷房運転・設定温度２５℃・風速Ｈｉ：この場合室温は２６℃以上とする］を送信するとワイヤレスリモコン信号受信手段３０３が冷専機種信号と空調機動作信号を受信した場合、ワイヤレスリモコン信号受信手段３０３が信号解析手段３０４へ信号を送信する。その信号を信号解析手段３０４が信号を受信して、冷専機種信号と空調機動作信号を解析しマイクロコンピュータ３０７に冷専機種信号と空調機動作信号を送信し、マイクロコンピュータ３０７が冷専機種の動作と空調機動作を行う（但し、冷専機種／冷暖機種の判別のワイヤレス信号は、電源投入後１度のみ受信する。例えば、上記記述の冷専機種信号を元電源投入後の一度目の信号で受信した場合、２度目以降の信号にて冷暖機種信号が送られてきた場合、ワイヤレス信号受信手段３０３では暖房機種ワイヤレス信号を受信するが、信号解析手段３０４にて、暖房機種信号をキャンセルしてマイクロコンピュータ３０７には送信しない。しかし、２度目以降のワイヤレス信号が１度目と同じ冷専機種信号の場合は、信号解析手段３０４にて同じ信号と判断されマイクロコンピュータ３０７へ送信される）。
【００３７】
元電源投入後から３分以上経過していて、ファンモータ等が正常に動作していれば、信号解析手段３０８へ冷専機信号を送り、信号解析手段３０８が冷専機種信号を受信した場合は、冷専機種信号送信手段３１０へ信号を送り、空調機の室外機［冷専機種］３１８内の冷専機種信号受信手段及び信号解析手段３１９に冷専機種信号を送り、冷専機種信号受信手段及び信号解析手段信号解析手段３１９が受信して信号解析を行い圧縮機動作信号送信手段３２０へ圧縮機動作信号を送る。その信号を圧縮機動作信号送信手段３２０が受信し、圧縮機３２１へ送信し、圧縮機３２１が信号を受信した場合、圧縮機３２１が動作する事によって冷専機種になる。
【００３８】
次に冷暖機種の場合には、冷専機／冷暖機一体型空調機の室内機３０１に、空調機の室外機［冷暖機種］３１１を据え付け（接続）し、据え付け後に、元電源を投入した場合、ワイヤレスリモコン３０２から、冷暖機種信号と空調機動作信号［例えば、暖房運転・設定温度２５℃・風速Ｈｉ：この場合室温は２４℃以下とする］を送信するとワイヤレスリモコン信号受信手段３０３が冷暖機種信号と空調機動作信号を受信した場合、ワイヤレスリモコン信号受信手段３０３が信号解析手段３０４へ信号を送信する。信号解析手段３０４が信号を受信して、冷暖機種信号と空調機動作信号を解析し、マイクロコンピュータ３０７に冷暖機種信号と空調機動作信号を送信し、マイクロコンピュータ３０７が冷暖機種の動作と空調機動作を行う。
【００３９】
元電源投入後から３分以上経過していて、ファンモータ等が正常に動作していれば、信号解析手段３０５へ冷暖機種信号を送り、信号解析手段３０８が冷暖機種信号を受信した場合は、冷暖機種信号送受信手段３０９へシリアル信号を送り、空調機の室外機［冷暖機種］３１１内の冷暖機種信号受信手段３１２へシリアル信号を送り、信号解析手段３１４がシリアル信号を受信して正常の信号で有れば、マイクロコンピュータ３１５へシリアル信号を送信する。マイクロコンピュータ３１５がシリアル信号を受信して、空調機が正しく運転できる条件で有れば、圧縮機動作信号送受信手段３１６へ圧縮機動作信号を送信し、圧縮機動作信号送受信手段３１６が圧縮機３１７へ動作信号を送信して、圧縮機３１７が信号を受信した場合、圧縮機３１７が動作する事によって冷暖機種になる。
【００４０】
以上で、冷専機種又は冷暖機種が正常に動作をするが、仮に空調機の室外機［冷暖機種］３１１を冷専機／冷暖機一体型空調機の室内機３０１に接続［据え付け］をして、間違えてワイヤレスリモコン３０２から冷専機種信号を送信してマイクロコンピュータ３０７が冷専機種と判断した場合、シリアル通信が行われないため、マイクロコンピュータ３１５が異常と判断し圧縮機３１７を動作させないことにより正常運転にはならない（この場合には、冷専機種とマイクロコンピュータ３１５が判断しているため、室内機の表示モニタに異常表示はされない。しかし、圧縮機３１７が動作せずに空調が行われないので、異常と判断できる）。
【００４１】
また、空調機の室外機［冷専機種］３１８を冷専機／冷暖機一体型空調機の室内機３０１に接続［据え付け］をして、ワイヤレスリモコン３０２から冷暖機種信号を送信してマイクロコンピュータ３０７が冷暖機種と判断した場合、空調機の室外機［冷専機］３１８にシリアル信号を送るが、シリアル通信が返却されてこないため、マイクロコンピュータ３０７が異常と判断して、冷専機／冷暖機一体型空調機の室内機３０１の表示モニタに異常表示を行うことによって間違え防止を行う。
【００４２】
以上のように、この実施の形態によれば、冷専機種と冷暖機種の空調機の室内機（制御装置を含む）を一体型したので、製造者が共通化を図れるため、大量生産をすることが出き、コストの削減につながる。また、サービス部品を一本化に出来るため、管理形態が簡素化する事が出き、かつ、据え付け業者が室外機と室内機のセットを間違えることがないため、管理が簡素化できる効果が得られる。
【００４３】
実施の形態３．
以下、この発明の実施の形態３を図面を参照して説明する。
図４は、この発明の実施の形態３を示す図で、空気調和機のブロック図である。冷専機／冷暖機一体型空調機の室内機４０１と空調機の室外機［冷暖機種］４１１を据え付けて、元電源を投入すると、空調機の室外機「冷暖機種］４１１のマイクロコンピュータ４１５から冷暖機種シリアル信号（以下、冷暖機種信号）を信号解析手段４１４へ送り信号解析手段４１４が信号を受信して解析し、信号が正しければ、冷暖機種信号送信手段４１３へ送信して、接続線へ送信する。接続線を通過してきた冷暖機種信号を冷専機／冷暖機一体型空調機の室内機４０１内の冷暖機種信号送受信手段４０９が受信して、信号解析手段４０８が冷暖機種信号を解析してマイクロコンピュータ４０７に信号を送信する。その信号をマイクロコンピュータ４０７が正しく受信すれば、冷専機／冷暖機一体型空調機機の室内機４０１が冷暖機種になる。
【００４４】
次に、ワイヤレスリモコン４０２から運転動作信号を送信すると、ワイヤレスリモコン信号受信手段４０３が運転動作信号を受信して、信号解析手段４０４に送信する。信号解析手段４０４が運転動作信号を受信して解析を行い、マイクロコンピュータ４０７へ運転動作信号を送信し受信した後に、冷専機／冷暖機一体型空調機の室内機４０１内に異常がないことをマイクロコンピュータ４０７が判断すると、ワイヤレスリモコン４０２から送られた信号と同じ動作を冷専機／冷暖機一体型空調機の室内機４０１が行う。
【００４５】
元電源投入後から、３分以上経過すれば、マイクロコンピュータ４０７が圧縮機動作信号を信号解析手段４０８に送信して、信号解析手段４０８が圧縮機動作信号を解析して正しい信号ならば冷暖機種信号送受信手段［シリアル信号］４０９へ信号を送り、冷暖機種信号送受信手段［シリアル信号］４０９が空調機の接続線へ圧縮機動作信号を送り、信号が空調機の室外機［冷暖機種］４１１の冷暖機種信号受信手段［シリアル信号］４１２へ送信される。その信号を冷暖機種信号受信手段［シリアル信号］４１２が受信して、信号解析手段４１４へ送信し、信号解析手段４１４が受信及び解析を行い、マイクロコンピュータ４１５へ信号を送信する。その信号をマイクロコンピュータ４１５が受信した後に、空調機の室外機［冷暖機種］４１１内に異常がないことをマイクロコンピュータ４１５が判断すると、圧縮機動作信号送受信手段４１６へ圧縮機動作信号を送信し、圧縮機動作信号送受信手段４１６が受信して、圧縮機４１７へ圧縮機動作信号を送り、圧縮機４１７が正常に圧縮機動作信号を受信すれば、圧縮機４１７が動作を行う。
【００４６】
また、マイクロコンピュータ４１５が圧縮機動作信号受信手段４１６へ圧縮機動作信号を送るのと同時に信号解析手段４１４へ室外機動作中信号を送る。その信号を、信号解析手段４１４が解析して、正しい信号で有れば冷暖機種信号受信手段［シリアル信号］４１３へ信号を送る。その信号を冷暖機種信号受信手段［シリアル信号］４１３が受信して接続線へ送信する。信号が接続線を通過して冷暖機種信号送受信手段［シリアル信号］４０９が受信し、信号解析手段４０８へ信号を送る。信号解析手段４０８が信号を解析してマイクロコンピュータ４０７に信号を送信しマイクロコンピュータ４０７が受信して、空調機の室外機［冷暖機種］４１１が正常に動作していることを判断する。
【００４７】
または、試運転スイッチ４０６を押すと、試運転スイッチ４０６から試運転信号を信号解析手段４０４に送信して、その信号を信号解析手段４０４が受信し解析して、マイクロコンピュータ４０７へ試運転信号を送信し受信した後に、冷専機／冷暖機一体型空調機の室内機４０１内に異常がないことをマイクロコンピュータ４０７が判断すると、冷専機／冷暖機一体型空調機の室内機４０１が試運転を行う。
【００４８】
元電源投入後から、３分以上経過すれば、マイクロコンピュータ４０７が圧縮機動作信号を信号解析手段４０８に送信して、信号解析手段４０８が圧縮機動作信号を解析して正しい信号ならば冷暖機種信号送受信手段［シリアル信号］４０９へ信号を送り、冷暖機種信号送受信手段［シリアル信号］４０９が接続線へ圧縮機動作信号を送り、信号が空調機の室外機［冷暖機種］４１１の冷暖機種信号受信手段［シリアル信号］４１２へ送信される。その信号を冷暖機種信号受信手段［シリアル信号］４１２が受信して、信号解析手段４１４へ送信し、信号解析手段４１４が受信及び解析を行い、マイクロコンピュータ４１５へ信号を送信する。その信号をマイクロコンピュータ４１５が受信した後に、空調機の室外機［冷暖機種］４１１内に異常がないことをマイクロコンピュータ４１５が判断すると、圧縮機動作信号送受信手段４１６へ圧縮機動作信号を送信し、圧縮機動作信号送受信手段４１６が受信して、圧縮機４１７へ圧縮機動作信号を送り、圧縮機４１７が正常に圧縮機動作信号を受信すれば、圧縮機４１７が動作を行う。
【００４９】
また、マイクロコンピュータ４１５が圧縮機動作信号送受信手段４１６へ圧縮機動作信号を送るのと同時に信号解析手段４１４へ室外機動作中信号を送る。その信号を、信号解析手段４１４が解析して、正しい信号で有れば冷暖機種信号受信手段［シリアル信号］４１３へ信号を送る。冷暖機種信号受信手段［シリアル信号］４１３を受信し接続線へ送信する。信号が接続線を通過して冷暖機種信号送受信手段［シリアル信号］４０９が受信し、信号解析手段４０８へ信号を送る。信号解析手段４０８が信号を解析してマイクロコンピュータ４０７に信号を送信しマイクロコンピュータ４０７が受信して、空調機の室外機［冷暖機種］４１１が正常に動作していることを判断する。
【００５０】
冷専機／冷暖機一体型空調機の室内機に空調機４０１の室外機［冷専機種］４１８を据え付けて、元電源を投入すると、空調機の室外機「冷専機］４１８からシリアル信号送られてこないため、マイクロコンピュータ４０７が冷専機種と判断して、冷専機／冷暖機一体型空調機の室内機４０１が冷専機の動作を行う。ワイヤレスリモコンから運転動作信号を送信すると、ワイヤレスリモコン信号受信手段４０３が運転動作信号を受信して、信号解析手段４０４に送信する。信号解析手段４０４が運転動作信号を受信して解析を行い、マイクロコンピュータ４０７へ運転動作信号を送信し受信した後に、冷専機／冷暖機一体型空調機の室内機４０１内に異常がないことをマイクロコンピュータ４０７が判断すると、ワイヤレスリモコン４０２から送られた信号と同じ動作を冷専機／冷暖機一体型空調機の室内機４０１が行う。
【００５１】
元電源投入後から、３分以上経過すれば、マイクロコンピュータ４０７が圧縮機動作信号を信号解析手段４０８に送信して、信号解析手段４０８が圧縮機動作信号を解析して正しい信号ならば冷専機種信号送信手段４１０へ送信する。冷専機種信号送信手段４１０が受信し、空調機の接続線に信号を送信し、信号が接続線を通過すると空調機の室外機［冷専機種］４１８の冷専機種信号受信手段及び信号解析手段４１９が信号を受信して解析して、正しい信号で有れば圧縮機動作信号送信手段４２０へ圧縮機動作信号を送り、圧縮機動作信号送信手段４２０が信号を受信して圧縮機４２１へ信号を送信し、圧縮機４２１が圧縮機動作信号を正しく受信すれば、圧縮機４２１が動作を行うことにより空気調和機が正常の運転を行う。
【００５２】
冷専機種の場合は、冷専機／冷暖機一体型空調機の室内機４０１に、空調機の室外機［冷専機種］４１８を据え付け（接続）し、据え付け後に、元電源を投入した場合、マイクロコンピュータ４０７が信号解析手段４０８にシリアル信号を送信し、シリアル信号送受信手段４０９にシリアル信号送信するが、空調機の室外機［冷専機種］４１８のため、シリアル信号の返信が無いことにより、マイクロコンピュータ４０７が冷専機種の判断をして、冷専機種になる。
【００５３】
冷暖機種の場合には、冷専機／冷暖機一体型空調機の室内機４０１に、空調機の室外機［冷暖機種］４１１を据え付け（接続）し、据え付け後に、元電源を投入した場合、マイクロコンピュータ４０７が信号解析手段４０８にシリアル信号を送信し、シリアル信号送受信手段４０９にシリアル信号送信する。シリアル信号送受信手段４０９が信号を空調機の室外機［冷暖機種］４１１内の冷暖機種信号受信手段４１２に送信して冷暖機種信号受信手段４１２が受信して信号解析手段４１４が受信し、シリアル信号を解析する。そのシリアル信号を正しく解析することが出来た場合、マイクロコンピュータ４１５に信号を送信して、マイクロコンピュータ４１５が受信した後に、シリアル信号の返信信号を信号解析手段４１４に送信して、信号解析手段４１４から冷暖機種信号送信手段４１３へ送信する。冷暖機種信号送信手段４１３から冷専機・冷暖機一体型空調機の室内機４０１内の冷暖機種信号送受信手段４０９へ返信シリアル信号を送信する。冷暖機種信号送受信手段４０９から受信した信号を信号解析手段４０８へ送信して、信号解析手段４０８が信号受信後、正しい返信シリアル信号で有れば、マイクロコンピュータ４０７へ信号を送信して、マイクロコンピュータ４０７が返信シリアル信号を受信すれば、ソフトウェアを冷暖機種にするため、空調機が冷暖機種になる。
【００５４】
以上のように、この実施の形態によれば、冷専機種／冷暖機種切り替えスイッチが必要ないため、安価なコストで、冷専機・冷暖機の切り替えを行うことが出来る。
【００５５】
実施の形態４．
以下、この発明の実施の形態４を図面を参照して説明する。
図５は、この発明の実施の形態４を示す図で、空気調和機のブロック図である。冷専機／冷暖機一体型空調機の室内機５０１と空調機の室外機［冷暖機種］５１１を据え付けて、元電源を投入すれば、冷専機／冷暖機一体型空調機の室内機５０１は、冷暖機種になる。次にワイヤレスリモコン５０２から、運転動作信号を送信して、ワイヤレスリモコン信号受信手段５０３が運転動作信号を受信して、信号解析手段５０４に送信する。信号解析手段５０４が運転動作信号を受信して解析を行い、マイクロコンピュータ５０７へ運転動作信号を送信し受信した後に、冷専機／冷暖機一体型空調機の室内機５０１内に異常がないことをマイクロコンピュータ５０７が判断すると、ワイヤレスリモコン５０２から送られた信号と同じ動作を冷専機／冷暖機一体型空調機の室内機５０１が行う。
【００５６】
元電源投入後から、３分以上経過すれば、マイクロコンピュータ５０７が圧縮機動作信号を信号解析手段５０８に送信して、信号解析手段５０８が圧縮機動作信号を解析して正しい信号ならば冷暖機種信号送受信手段［シリアル信号］５０９へ信号を送り、冷暖機種信号送受信手段［シリアル信号］５０９が空調機の接続線へ圧縮機動作信号を送り、信号が空調機の室外機［冷暖機種］５１１の冷暖機種信号受信手段［シリアル信号］５１２へ送信される。その信号を冷暖機種信号受信手段［シリアル信号］５１２が受信して、信号解析手段５１４へ送信し、信号解析手段５１４が受信及び解析を行い、マイクロコンピュータ５１５へ信号を送信する。その信号をマイクロコンピュータ５１５が受信した後に、空調機の室外機［冷暖機種］５１１内に異常がないことをマイクロコンピュータ５１５が判断すると、圧縮機動作信号送受信手段５１６へ圧縮機動作信号を送信し、圧縮機動作信号送受信手段５１６が受信して、圧縮機５１７へ圧縮機動作信号を送り、圧縮機５１７が正常に圧縮機動作信号を受信すれば、圧縮機５１７が動作を行う。
【００５７】
また、マイクロコンピュータ５１５が圧縮機動作信号送受信手段５１６へ圧縮機動作信号を送るのと同時に信号解析手段５１４へ室外機動作中信号を送る。その信号を、信号解析手段５１４が解析して、正しい信号で有れば冷暖機種信号受信手段［シリアル信号］５１３へ信号を送る。その信号を冷暖機種信号受信手段［シリアル信号］５１３が受信し接続線へ送信する。信号が接続線を通過して冷暖機種信号送受信手段［シリアル信号］５０９が受信し、信号解析手段５０８へ信号を送る。信号解析手段５０８が信号を解析してマイクロコンピュータ５０７に信号を送信し、マイクロコンピュータ５０７が受信して、空調機の室外機［冷暖機種］５１１が正常に動作していることを判断する。
【００５８】
または、応急運転スイッチ５０６を押すと、応急運転スイッチ５０６から応急運転信号を信号解析手段５０４に送信して、その信号を信号解析手段５０４が受信し解析して、マイクロコンピュータ５０７へ応急運転信号を送信し受信した後に、冷専機／冷暖機一体型空調機の室内機５０１内に異常がないことをマイクロコンピュータ５０７が判断すると、冷専機／冷暖機一体型空調機の室内機５０１が応急運転を行う。
【００５９】
元電源投入後から、３分以上経過すれば、マイクロコンピュータ５０７が圧縮機動作信号を信号解析手段５０８に送信して、信号解析手段５０８が圧縮機動作信号を解析して正しい信号ならば冷暖機種信号送受信手段［シリアル信号］５０９へ信号を送り、冷暖機種信号送受信手段［シリアル信号］５０９が接続線へ圧縮機動作信号を送り、信号が空調機の室外機［冷暖機種］５１１の冷暖機種信号受信手段［シリアル信号］５１２へ送信される。その信号を冷暖機種信号受信手段［シリアル信号］５１２が受信して、信号解析手段５１４へ送信し、信号解析手段５１４が受信及び解析を行い、マイクロコンピュータ５１５へ信号を送信する。その信号をマイクロコンピュータ５１５が受信した後に、空調機の室外機［冷暖機種］５１１内に異常がないことをマイクロコンピュータ５１５が判断すると、圧縮機動作信号送受信手段５１６へ圧縮機動作信号を送信し、圧縮機動作信号手段５１６が受信して、圧縮機５１７へ圧縮機動作信号を送り、圧縮機５１７が正常に圧縮機動作信号を受信すれば、圧縮機５１７が動作を行う。また、マイクロコンピュータ５１５が圧縮機動作信号送受信手段５１６へ圧縮機動作信号を送るのと同時に信号解析手段５１４へ室外機動作中信号を送る。その信号を、信号解析手段５１４が解析して、正しい信号で有れば冷暖機種信号受信手段［シリアル信号］５１３へ信号を送る。その信号を冷暖機種信号受信手段［シリアル信号］５１３が受信し接続線へ送信する。信号が接続線を通過して冷暖機種信号送受信手段［シリアル信号］５０９が受信し、信号解析手段５０８へ信号を送る。信号解析手段５０８が信号を解析してマイクロコンピュータ５０７に信号を送信しマイクロコンピュータ５０７が受信して、空調機の室外機［冷暖機種］５１１が正常に動作していることを判断する。
【００６０】
冷専機／冷暖機一体型空調機の室内機５０１に空調機の室外機［冷専機種］５１８を据え付けて、応急運転スイッチ５０６を押しながら、元電源を投入する。その場合応急運転スイッチ５０６から、冷専機種信号が信号解析手段５０４へ送信され、信号解析手段５０４が受信して解析し、正しい信号で有れば、信号をマイクロコンピュータ５０７へ送信する。その信号を正しくマイクロコンピュータ５０７が受信すれば、冷専機／冷暖機一体型空調機の室内機５０１は冷専機種になる。
【００６１】
ワイヤレスリモコン５０２から運転動作信号を送信すると、ワイヤレスリモコン信号受信手段５０３が運転動作信号を受信して、信号解析手段５０４に送信する。信号解析手段５０４が運転動作信号を受信して解析を行い、マイクロコンピュータ５０７へ運転動作信号を送信し受信した後に、冷専機／冷暖機一体型空調機の室内機５０１内に異常がないことをマイクロコンピュータ５０７が判断すると、ワイヤレスリモコン５０２から送られた信号と同じ動作を冷専機／冷暖機一体型空調機の室内機５０１が行う。
【００６２】
元電源投入後から、３分以上経過すれば、マイクロコンピュータ５０７が圧縮機動作信号を信号解析手段５０８に送信して、信号解析手段５０８が圧縮機動作信号を解析して正しい信号ならば冷専機種信号送信手段５１０へ送信する。冷専機種信号送信手段５１０が受信し、空調機の接続線に信号を送信し、信号が接続線を通過すると空調機の室外機［冷専機種］５１８の冷専機種信号受信手段及び信号解析手段５１９が信号を受信して解析して、正しい信号で有れば圧縮機動作信号送信手段５２０へ圧縮機動作信号を送り、圧縮機動作信号送信手段５２０が信号を受信して圧縮機５２１へ信号を送信し、圧縮機５２１が圧縮機動作信号を正しく受信すれば、圧縮機５２１が動作を行うことにより空気調和機が正常の運転を行う。
【００６３】
冷専機／冷暖機一体型空調機の室内機５０１に、空調機の室外機［冷専機種］５１８を据え付け（接続）し、据え付け後に、応急運転スイッチ５０６を押しながら元電源を投入した場合、応急運転スイッチ５０６の信号が信号解析手段５０４に送信され、元電源投入＋応急運転スイッチの条件が成り立っているため、信号解析手段５０４からマイクロコンピュータ５０７に冷専機種信号を送信する。マイクロコンピュータ５０７が冷専機種信号を受信すれば冷専機種になる。
【００６４】
次に冷暖房機種の場合は、冷専機／冷暖機一体型空調機の室内機５０１に、空調機の室外機［冷暖房機種］５１１を据え付け（接続）し、元電源を投入すれば冷暖房機種になる（最初から冷暖房機種の設定になっていて、応急運転スイッチを押しながら元電源投入を行うことによって、マイクロコンピュータ５０７のソフトウェアの切り替えを行う）。
【００６５】
以上のように、この実施の形態によれば、応急運転スイッチ５０６を上記プログラムの切り替えに利用できるので、安価なコストで、冷専機・冷暖機の切り替えを行うことが出来る。
【００６６】
実施の形態５．
以下、この発明の実施の形態５を図３を使用して説明する（図３に関しては、発明の実施の形態２で説明済み）。
冷専機／冷暖機一体型空調機の室内機３０１に、空調機の室外機［冷専機種］３１８を据え付け（接続）し、据え付け後に、元電源を投入した場合、冷専機専用のワイヤレスリモコン３０２から、冷専機種信号と空調機動作信号［例えば、冷房運転・設定温度２５℃・風速Ｈｉ：この場合室温は２６℃以上とする］を送信するとワイヤレスリモコン信号受信手段３０３が冷専機種信号と空調機動作信号を受信した場合、ワイヤレスリモコン信号受信手段３０３が信号解析手段３０４へ信号を送信する。信号解析手段３０４が信号を受信して、冷専機種信号と空調機動作信号を解析しマイクロコンピュータ３０７に冷専機種信号と空調機動作信号を送信し、マイクロコンピュータ３０７が冷専機種の動作と空調機動作を行う。
【００６７】
次に冷暖機種の場合には、冷専機／冷暖機一体型空調機の室内機３０１に、空調機の室外機［冷暖機種］３１１を据え付け（接続）し、据え付け後に、元電源を投入した場合、冷暖機種専用のワイヤレスリモコン３０２から、冷暖機種信号と空調機動作信号［例えば、暖房運転・設定温度２５℃・風速Ｈｉ：この場合室温は２４℃以下とする］を送信してワイヤレスリモコン信号受信手段３０３が冷暖機種信号と空調機動作信号を受信した場合、ワイヤレスリモコン信号受信手段３０３が信号解析手段３０４へ信号を送信する。信号解析手段３０４が信号を受信して、冷暖機種信号と空調機動作信号を解析しマイクロコンピュータ３０７に冷暖機種信号と空調機動作信号を送信し、マイクロコンピュータ３０７が冷暖機種の動作と空調機動作を行う。
【００６８】
以上のように、この実施の形態によれば、冷専機種と冷暖房機種のソフトウェアの切り替えを間違える恐れが少なくなり、室内機を確実に冷専機種・冷暖機種に設定する事が出来る。
【００６９】
実施の形態６．
実施の形態１と実施の形態２とを組み合わせて、冷専機種と冷暖機種の切り替えを、室内機に設けた冷専機種／冷暖機種切り替えスイッチとワイヤレスリモコンのどちらを用いて行うようにしてもよい。
【００７０】
実施の形態７．
冷専機種には冷専機種用のワイヤレスリモコンを冷専機用の室外機に同梱させ、冷暖機種には冷暖機種兼用のワイヤレスリモコンを冷暖機用の室外機に同梱させて販売し、冷専機・冷暖機一体型の空調機の室内機にはワイヤレスリモコンを同梱しないで販売する。
【００７１】
この実施の形態によれば、冷専機／冷暖機一体型の室内機に、冷専機用、冷暖機用のリモコンを両方同梱／付属させないため、原価低減になり、販売価格を押さえることが出来ることと、リモコン違いによる空調機の誤動作防止になる。
【００７２】
【発明の効果】
この発明に係る空気調和機は、冷専機／冷暖機一体型空調機の室内機と、冷暖機用室外機又は冷専機用室外機とを有する空気調和機において、冷専機／冷暖機一体型空調機の室内機は、冷房専用機用プログラムと冷房暖房兼用機用プログラムとを記憶させた室内マイクロコンピュータと、冷暖機用室外機とシリアル信号の送受信を行う冷暖機種信号送受信手段と、冷専機用室外機へ動作信号を送信する冷専機種信号送信手段とを有し、冷暖機用室外機は、室内機の冷暖機種信号送受信手段から送信されるシリアル信号を受信する冷暖機種信号受信手段と、シリアル信号を受信し、冷暖機用室外機内に異常がないと判断した場合、圧縮機動作信号及び室外機動作中信号を出力する室外マイクロコンピュータと、室外機動作中信号を室内機の冷暖機種信号送受信手段へ送信する冷暖機種信号送信手段とを有し、冷専機種信号又は冷暖機種信号を室内マイクロコンピュータに送信する冷専機種／冷暖機種切り替え装置を備えた構成にしたので、冷専機種と冷暖機種の空気調和機の室内機（制御装置を含む）を一体型でき、製造者が共通化を図れるため、大量生産をすることが出き、コストの削減につながる。また、サービス部品を一本化に出来るため、管理形態が簡素化する事が出き、かつ、据え付け業者が室外機と室内機のセットを間違えることがないため、管理が簡素化できる効果が得られる。
【００７３】
また、この発明に係る空気調和機は、ワイヤレスリモコンを備え、冷専機種／冷暖機種切り替え装置をワイヤレスリモコンに設けたので、室内機の冷専機種／冷暖機種切り替え装置が不要なため、安価に冷専機と冷暖機の切り替えを行うことができる。
【００７４】
また、この発明に係る空気調和機は、冷専機種／冷暖機種切り替え装置を、室外機から室内機へ送信されるシリアル信号の有無により、冷専機種と冷暖機種とを切り替える構成としたので、さらに安価に冷専機と冷暖機の切り替えを行うことができる。
【００７５】
また、この発明に係る空気調和機は、冷専機／冷暖機一体型空調機の室内機は、応急運転スイッチを備え、元電源投入時に前記応急運転スイッチの操作の有無により、冷専機と冷暖機との切り替えを行う構成としたので、応急運転スイッチをプログラムの切り替えに利用できるので、安価に冷専機と冷暖機の切り替えを行うことができる。
【００７６】
また、この発明に係る空気調和機は、冷房専用機用ワイヤレスリモコンと、冷房暖房兼用機用ワイヤレスリモコンとを備え、冷専機種／冷暖機種切り替え装置を、元電源投入後、それぞれのリモコンからの信号を受信し、受信した信号により冷専機種／冷暖機種切り替え装置の切り替えを行う構成としたので、冷専機種と冷暖機種との切り替えを間違える恐れが少なくなり、室内機を確実に冷専機種もしくは冷暖機種に設定することができる。
【００７７】
また、この発明に係る空気調和機は、冷房専用機用ワイヤレスリモコンは冷専機用室外機に同梱させ、冷房暖房兼用機用ワイヤレスリモコンは冷暖機用室外機に同梱させたので、原価低減が図れるため販売価格を抑えることができると共に、リモコン違いによる誤動作を抑制できる。
【図面の簡単な説明】
【図１】  実施の形態１を示す図で、空気調和機のブロック図である。
【図２】  実施の形態１を示す図で、動作のフローチャート図である。
【図３】  実施の形態２，５を示す図で、空気調和機のブロック図である。
【図４】  実施の形態３を示す図で、空気調和機のブロック図である。
【図５】  実施の形態４を示す図で、空気調和機のブロック図である。
【符号の説明】
１０１  冷専機／冷暖機一体型空調機の室内機、１０２  ワイヤレスリモコン、１０３  ワイヤレスリモコン信号受信手段、１０４  信号解析手段、１０５  冷専機種／冷暖機種切り替えスイッチ、１０６  試運転スイッチ、１０７  マイクロコンピュータ、１０８  信号解析手段、１０９  冷暖機種信号送受信手段［シリアル信号］、１１０  冷専機種信号送信手段、１１１  空調機の室外機［冷暖機種］、１１２  冷暖機種信号受信手段［シリアル信号］、１１３  冷暖機種信号送信手段［シリアル信号］、１１４  信号解析手段、１１５  マイクロコンピュータ、１１６  圧縮機動作信号送受信手段、１１７  圧縮機、１１８  空調機の室外機［冷専機種］、１１９  冷専機種信号受信手段及び信号解析手段、１２０  圧縮機動作信号送信手段、１２１  圧縮機、３０１  冷専機／冷暖機一体型空調機の室内機、３０２  ワイヤレスリモコン、３０３  ワイヤレスリモコン信号受信手段、３０４  信号解析手段、３０７  マイクロコンピュータ、３０８信号解析手段、３０９  冷暖機種信号送受信手段［シリアル信号］、３１０  冷専機種信号送信手段、３１１  空調機の室外機［冷暖機種］、３１２  冷暖機種信号受信手段［シリアル信号］、３１３  冷暖機種信号送信手段［シリアル信号］、３１４  信号解析手段、３１５  マイクロコンピュータ、３１６  圧縮機動作信号送受信手段、３１７  圧縮機、３１８  空調機の室外機［冷専機種］、３１９  冷専機種信号受信手段及び信号解析手段、３２０  圧縮機動作信号送信手段、３２１  圧縮機、４０１  冷専機／冷暖機一体型空気調和機の室内機、４０２  ワイヤレスリモコン、４０３  ワイヤレスリモコン信号受信手段、４０４信号解析手段、４０６  試運転スイッチ、４０７  マイクロコンピュータ、４０８  信号解析手段、４０９  冷暖機種信号送受信手段［シリアル信号］、４１０  冷専機種信号送信手段、４１１  空調機の室外機［冷暖機種］、４１２  冷暖機種信号受信手段［シリアル信号］、４１３  冷暖機種信号送信手段［シリアル信号］、４１４  信号解析手段、４１５  マイクロコンピュータ、４１６  圧縮機動作信号送受信手段、４１７  圧縮機、４１８  空調機の室外機［冷専機種］、４１９  冷専機種信号受信手段及び信号解析手段、４２０  圧縮機動作信号送信手段、４２１  圧縮機、５０１  冷専機／冷暖機一体型空調機の室内機、５０２  ワイヤレスリモコン、５０３  ワイヤレスリモコン信号受信手段、５０４信号解析手段、５０６  応急運転スイッチ、５０７  マイクロコンピュータ、５０８  信号解析手段、５０９  冷暖機種信号送受信手段［シリアル信号］、５１０  冷専機種信号送信手段、５１１  空調機の室外機［冷暖機種］、５１２  冷暖機種信号受信手段［シリアル信号］、５１３  冷暖機種信号送信手段［シリアル信号］、５１４  信号解析手段、５１５  マイクロコンピュータ、５１６  圧縮機動作信号送受信手段、５１７  圧縮機、５１８  空調機の室外機［冷専機種］、５１９  冷専機種信号受信手段及び信号解析手段、５２０  圧縮機動作信号送信手段、５２１  圧縮機。
【図１】
0003818786.tif 000002
【図２】
0003818786.tif 000003
【図３】
0003818786.tif 000004
【図４】
0003818786.tif 000005
【図５】
0003818786.tif 000006